(57)【要約】【課題】呼接続制御装置での個人情報の保持を防止すると共に、発端末のユーザに適切な広告を配信すること。【解決手段】発端末１が、ユーザ属性情報を含めた呼接続要求信号を送信し、呼接続制御装置３が、広告コンテンツを広告コンテンツ格納部３１に格納し、広告コンテンツのコンテンツＩＤとユーザ属性情報とを対応付けたユーザ属性−広告対応表をユーザ属性広告対応情報記憶部３２に記憶しておき、発端末１から送信された呼接続要求信号を受信し、その呼接続要求信号に含まれるユーザ属性情報に対応するコンテンツＩＤをユーザ属性−広告対応表から検索して、検索されたコンテンツＩＤに係る広告コンテンツを広告コンテンツ格納部３１から取得する。【選択図】図１
2011239254.tif 000002
【特許請求の範囲】
【請求項１】
着端末に呼接続を要求する発端末と、前記発端末と前記着端末との間で前記呼接続を制御する呼接続制御装置と、を備えた広告配信システムにおいて、
前記発端末は、
前記発端末のユーザに関するユーザ属性情報を記憶しておく属性情報記憶手段と、
前記ユーザ属性情報を前記属性情報記憶手段から読み出して、当該ユーザ属性情報を含めた呼接続要求信号を送信する信号送信手段と、を有し、
前記呼接続制御装置は、
広告コンテンツを格納しておくコンテンツ格納手段と、
前記広告コンテンツのコンテンツ識別子とユーザ属性情報とを対応付けた対応情報を記憶しておく対応情報記憶手段と、
前記発端末から送信された前記呼接続要求信号を受信し、当該呼接続要求信号に含まれるユーザ属性情報に対応するコンテンツ識別子を前記対応情報から検索して、検索されたコンテンツ識別子に係る広告コンテンツを前記コンテンツ格納手段から取得するコンテンツ決定手段と、
受信した前記呼接続要求信号に対する前記着端末からの呼接続応答信号を前記発端末に送信する前に、決定した前記広告コンテンツを前記発端末に配信するコンテンツ配信手段と、
を有することを特徴とする広告配信システム。
【請求項２】
前記属性情報記憶手段は、
前記発端末を使用する複数のユーザにそれぞれ対応するユーザ属性情報をそれぞれ記憶しておき、
前記信号送信手段は、
前記発端末を現在使用中のユーザに対応するユーザ属性情報を含めた前記呼接続要求信号を送信することを特徴とする請求項１に記載の広告配信システム。
【請求項３】
前記呼接続制御装置は、
前記ユーザ属性情報を削除して前記呼接続要求信号を前記着端末に送信する呼接続手段を更に有することを特徴とする請求項１又は２に記載の広告配信システム。
【請求項４】
前記呼接続制御装置は、
前記ユーザ属性情報に含まれるユーザ属性の有無が無であって、前記発端末と前記着端末との間での呼接続確立が成功した場合に、前記呼接続要求信号に対して課金する課金手段を更に有することを特徴とする請求項１乃至３のいずれか１項に記載の広告配信システム。
【請求項５】
着端末に呼接続を要求する発端末と、前記発端末と前記着端末との間で前記呼接続を制御する呼接続制御装置と、を備えた広告配信システムで処理する広告配信方法において、
前記発端末により、
前記発端末のユーザに関するユーザ属性情報を属性情報記憶手段に記憶しておく第１のステップと、
前記ユーザ属性情報を前記属性情報記憶手段から読み出して、当該ユーザ属性情報を含めた呼接続要求信号を送信する第２のステップと、を有し、
前記呼接続制御装置により、
広告コンテンツをコンテンツ格納手段に格納しておく第３のステップと、
前記広告コンテンツのコンテンツ識別子とユーザ属性情報とを対応付けた対応情報を対応情報記憶手段に記憶しておく第４のステップと、
前記発端末から送信された前記呼接続要求信号を受信し、当該呼接続要求信号に含まれるユーザ属性情報に対応するコンテンツ識別子を前記対応情報から検索して、検索されたコンテンツ識別子に係る広告コンテンツを前記コンテンツ格納手段から取得する第５のステップと、
受信した前記呼接続要求信号に対する前記着端末からの呼接続応答信号を前記発端末に送信する前に、決定した前記広告コンテンツを前記発端末に配信する第６のステップと、
を有することを特徴とする広告配信方法。
【請求項６】
前記第１のステップは、
前記発端末を使用する複数のユーザにそれぞれ対応するユーザ属性情報をそれぞれ記憶しておき、
前記第２のステップは、
前記発端末を現在使用中のユーザに対応するユーザ属性情報を含めた前記呼接続要求信号を送信することを特徴とする請求項５に記載の広告配信方法。
【請求項７】
前記呼接続制御装置により、
前記ユーザ属性情報を削除して前記呼接続要求信号を前記着端末に送信するステップを更に有することを特徴とする請求項５又は６に記載の広告配信方法。
【請求項８】
前記呼接続制御装置により、
前記ユーザ属性情報に含まれるユーザ属性の有無が無であって、前記発端末と前記着端末との間での呼接続確立が成功した場合に、前記呼接続要求信号に対して課金するステップを更に有することを特徴とする請求項５乃至７のいずれか１項に記載の広告配信方法。
【発明の詳細な説明】
【技術分野】
【０００１】
本発明は、発端末と着端末との間で音声又は映像通信を行うための呼接続を確立する前に発端末に広告を配信する技術に関する。
【背景技術】
【０００２】
発端末と着端末との間で呼接続を確立する前に各端末に広告を配信する従来方法として、呼接続に必要な呼接続情報（発信元番号や着信先番号等）と、ユーザに関するユーザ属性情報（性別、年齢、ユーザ選考情報等）との両方を対応付けてネットワーク側で予め保持しておき、呼接続情報を用いた発端末からの呼接続要求信号に基づいてユーザ属性情報をネットワーク側で検索し、検索されたユーザ属性情報に関連付けられた広告を端末に自動的に配信する方法（第１の従来法）が挙げられる。また、呼接続要求信号の呼接続情報に関連する広告を自動的に配信する方法（第２の従来法）も挙げられる。
【０００３】
また、非特許文献１によれば、発信先のユーザが発信元のユーザに見せたい広告を予め設定しておき、設定されている広告を呼接続中に発信元に配信する技術が開示されている（第３の従来法）。
【先行技術文献】
【非特許文献】
【０００４】
【非特許文献１】株式会社キーテル、“Ring Back Web”、[平成22年4月15日検索]、インターネット<URL : http://www.keytel.co.jp/rbweb/RBWEB_KEYTEL.pdf>
【発明の概要】
【発明が解決しようとする課題】
【０００５】
しかしながら、上記第１の従来法によれば、ユーザ属性情報をネットワーク側で管理するため、ユーザ属性情報等の個人情報がネットワーク側で保持されることを厭うユーザにおいては広告配信サービスを享受できないという問題があった。また、ネットワークに登録しているユーザ属性情報に係るユーザによって各端末が利用されることを前提としているため、それ以外のユーザが同じ端末を用いて上記広告配信サービスを利用した場合には、そのユーザのユーザ属性に適した広告を配信できないという問題があった。
【０００６】
また、上記第２の従来法によれば、上記第１の従来法の問題点であるネットワーク側での個人情報の保持を回避できるが、配信される広告は呼接続情報にのみ関連付けられているため、ユーザ属性を反映した広告を配信できないという問題があった。
【０００７】
さらに、上記第３の従来法にあっては、配信先のユーザの意向を反映した広告が配信されるため、発信元のユーザ属性に適した広告を常に配信できないという問題があった。また、発信元のユーザ属性に適した広告を配信するには、そのユーザ属性を発信先のユーザが自分自身で調査して発信元のユーザ毎に配信広告をそれぞれ設定する必要があるため、作業が煩雑になるという問題があった。
【０００８】
本発明は、上記を鑑みてなされたものであり、呼接続制御装置での個人情報の保持を防止すると共に、発端末のユーザに適切な広告を配信することを課題とする。
【課題を解決するための手段】
【０００９】
請求項１に記載の広告配信システムは、着端末に呼接続を要求する発端末と、前記発端末と前記着端末との間で前記呼接続を制御する呼接続制御装置と、を備えた広告配信システムにおいて、前記発端末は、前記発端末のユーザに関するユーザ属性情報を記憶しておく属性情報記憶手段と、前記ユーザ属性情報を前記属性情報記憶手段から読み出して、当該ユーザ属性情報を含めた呼接続要求信号を送信する信号送信手段と、を有し、前記呼接続制御装置は、広告コンテンツを格納しておくコンテンツ格納手段と、前記広告コンテンツのコンテンツ識別子とユーザ属性情報とを対応付けた対応情報を記憶しておく対応情報記憶手段と、前記発端末から送信された前記呼接続要求信号を受信し、当該呼接続要求信号に含まれるユーザ属性情報に対応するコンテンツ識別子を前記対応情報から検索して、検索されたコンテンツ識別子に係る広告コンテンツを前記コンテンツ格納手段から取得するコンテンツ決定手段と、受信した前記呼接続要求信号に対する前記着端末からの呼接続応答信号を前記発端末に送信する前に、決定した前記広告コンテンツを前記発端末に配信するコンテンツ配信手段と、を有することを特徴とする。
【００１０】
本発明によれば、発端末が、ユーザ属性情報を含めた呼接続要求信号を送信し、呼接続制御装置が、広告コンテンツをコンテンツ格納手段に格納し、広告コンテンツのコンテンツ識別子とユーザ属性情報とを対応付けた対応情報を対応情報記憶手段に記憶しておき、発端末から送信された呼接続要求信号を受信し、その呼接続要求信号に含まれるユーザ属性情報に対応するコンテンツ識別子を対応情報から検索して、検索されたコンテンツ識別子に係る広告コンテンツをコンテンツ格納手段から取得するため、呼接続制御装置において発端末のユーザ属性情報を保持することなく、発端末のユーザ属性情報を反映した効果的な広告を発端末のユーザに配信することが可能となる。
【００１１】
請求項２に記載の広告配信システムは、請求項１に記載の広告配信システムにおいて、前記属性情報記憶手段は、前記発端末を使用する複数のユーザにそれぞれ対応するユーザ属性情報をそれぞれ記憶しておき、前記信号送信手段は、前記発端末を現在使用中のユーザに対応するユーザ属性情報を含めた前記呼接続要求信号を送信することを特徴とする。
【００１２】
本発明によれば、発端末を使用する複数のユーザにそれぞれ対応するユーザ属性情報をそれぞれ記憶しておき、現在使用中のユーザに対応するユーザ属性情報を含めた呼接続要求信号を送信するため、発端末を複数ユーザが共有している場合であっても、現在使用しているユーザに対して適切な広告を配信することが可能となる。
【００１３】
請求項３に記載の広告配信システムは、請求項１又は２に記載の広告配信システムにおいて、前記呼接続制御装置は、前記ユーザ属性情報を削除して前記呼接続要求信号を前記着端末に送信する呼接続手段を更に有することを特徴とする。
【００１４】
本発明によれば、呼接続制御装置は、ユーザ属性情報を削除して呼接続要求信号を着端末に送信するため、発端末のユーザ属性情報が着端末に送付されるのを防止することが可能となる。
【００１５】
請求項４に記載の広告配信システムは、請求項１乃至３のいずれか１項に記載の広告配信システムにおいて、前記呼接続制御装置は、前記ユーザ属性情報に含まれるユーザ属性の有無が無であって、前記発端末と前記着端末との間での呼接続確立が成功した場合に、前記呼接続要求信号に対して課金する課金手段を更に有することを特徴とする。
【００１６】
請求項５に記載の広告配信方法は、着端末に呼接続を要求する発端末と、前記発端末と前記着端末との間で前記呼接続を制御する呼接続制御装置と、を備えた広告配信システムで処理する広告配信方法において、前記発端末により、前記発端末のユーザに関するユーザ属性情報を属性情報記憶手段に記憶しておく第１のステップと、前記ユーザ属性情報を前記属性情報記憶手段から読み出して、当該ユーザ属性情報を含めた呼接続要求信号を送信する第２のステップと、を有し、前記呼接続制御装置により、広告コンテンツをコンテンツ格納手段に格納しておく第３のステップと、前記広告コンテンツのコンテンツ識別子とユーザ属性情報とを対応付けた対応情報を対応情報記憶手段に記憶しておく第４のステップと、前記発端末から送信された前記呼接続要求信号を受信し、当該呼接続要求信号に含まれるユーザ属性情報に対応するコンテンツ識別子を前記対応情報から検索して、検索されたコンテンツ識別子に係る広告コンテンツを前記コンテンツ格納手段から取得する第５のステップと、受信した前記呼接続要求信号に対する前記着端末からの呼接続応答信号を前記発端末に送信する前に、決定した前記広告コンテンツを前記発端末に配信する第６のステップと、を有することを特徴とする。
【００１７】
請求項６に記載の広告配信方法は、請求項５に記載の広告配信方法において、前記呼接続制御装置により、前記第１のステップは、前記発端末を使用する複数のユーザにそれぞれ対応するユーザ属性情報をそれぞれ記憶しておき、前記第２のステップは、前記発端末を現在使用中のユーザに対応するユーザ属性情報を含めた前記呼接続要求信号を送信することを特徴とする。
【００１８】
請求項７に記載の広告配信方法は、請求項５又は６に記載の広告配信方法において、前記呼接続制御装置により、前記呼接続制御装置により、前記ユーザ属性情報を削除して前記呼接続要求信号を前記着端末に送信するステップを更に有することを特徴とする。
【００１９】
請求項８に記載の広告配信方法は、請求項５乃至７のいずれか１項に記載の広告配信方法において、前記呼接続制御装置により、前記ユーザ属性情報に含まれるユーザ属性の有無が無であって、前記発端末と前記着端末との間での呼接続確立が成功した場合に、前記呼接続要求信号に対して課金するステップを更に有することを特徴とする。
【発明の効果】
【００２０】
本発明によれば、呼接続制御装置での個人情報の保持を防止すると共に、発端末のユーザに適切な広告を配信することができる。
【図面の簡単な説明】
【００２１】
【図１】広告配信システムの全体構成を示す図である。
【図２】ユーザ属性情報の一例を示す図である。
【図３】呼接続情報の一例を示す図である。
【図４】ユーザ属性−広告対応表の一例を示す図である。
【図５】課金の処理フローを示す図である。
【図６】広告配信システムの処理フローを示す図である。
【発明を実施するための形態】
【００２２】
以下、本発明を実施する一実施の形態について図面を用いて説明する。但し、本発明は多くの異なる様態で実施することが可能であり、本実施の形態の記載内容に限定して解釈すべきではない。
【００２３】
図１は、広告配信システムの全体構成を示す図である。この広告配信システムは、呼接続制御装置３を経由して着端末５に呼接続を要求する発端末１と、発端末１と着端末５との間で呼接続を制御する呼接続制御装置３とで構成されている。
【００２４】
発端末１は、発端末１を使用する１以上のユーザに関する各ユーザ属性情報をそれぞれ記憶しておく属性情報記憶部１１と、発アドレスや着アドレス等の呼接続に必要な呼接続情報を格納しておく呼接続情報格納部１２と、呼接続情報を用いて、発端末１を現在使用しているユーザのユーザ属性情報を含めた呼接続要求信号を、通信ネットワーク７を介し、呼接続制御装置３を経由して着端末５に送信する信号送信部１３とで構成されている。なお、図２に、ユーザ属性情報の一例を示し、図３に、呼接続情報の一例を示す。また、発端末１や着端末５としては、ＩＰ端末を一例に挙げることができる。
【００２５】
一方、呼接続制御装置３は、広告コンテンツ格納部３１と、ユーザ属性広告対応情報記憶部３２と、呼接続制御部３３と、広告制御部３４と、課金部３５とで構成されている。以下、それら各機能部の機能について詳細に説明する。
【００２６】
広告コンテンツ格納部３１は、コンテンツＩＤ（広告コンテンツのコンテンツ識別子）で特定される様々な広告コンテンツを読出可能に格納しておく機能を有している。
【００２７】
ユーザ属性広告対応情報記憶部３２は、ユーザ属性情報とコンテンツＩＤとを対応付けたユーザ属性−広告対応表（対応情報）を読出可能に記憶しておく機能を有している。なお、図４に、ユーザ属性−広告対応表の一例を示す。
【００２８】
呼接続制御部３３は、発端末１と着端末５との間での呼接続の制御や、呼接続確立の成否を管理する機能を有している。具体的には、通信ネットワーク７を介して発端末１から送信された呼接続要求信号を受信し、受信した呼接続要求信号からユーザ属性情報を抽出して広告制御部３４に渡す機能や、広告制御部３４によって発端末１に広告が配信された後に、抽出したユーザ属性情報を削除してから呼接続要求信号を着端末５に送信する機能を有している。
【００２９】
広告制御部３４は、呼接続制御部３３によって抽出されたユーザ属性情報を受け取り、受け取ったユーザ属性情報に対応するコンテンツＩＤをユーザ属性広告対応情報記憶部３２のユーザ属性−広告対応表から検索し、検索されたコンテンツＩＤに係る広告コンテンツを広告コンテンツ格納部３１から取得することで、発端末１に配信する広告コンテンツを決定する機能を有している。そして、発端末１から受信した呼接続要求信号に対する着端末５からの呼接続応答信号を発端末１に送信する前に、決定した広告コンテンツを発端末１に配信する機能を有している。
【００３０】
課金部３５は、呼接続要求信号内におけるユーザ属性情報のユーザ属性の有無と、発端末１と着端末５との間での呼接続確立の成否とに基づいて、発端末１からの呼接続要求信号に対して課金・非課金を判定する機能を有している。具体的には、図５に示すように、ユーザ属性の有無が無であって、更に呼接続確立が成功した場合には課金と判定（課金する）し、ユーザ属性の有無が有である場合や、呼接続確立が失敗した場合には非課金と判定（課金しない）して、その判定結果を課金情報格納部（不図示）に格納する。
【００３１】
次に、広告配信システムの処理フローについて説明する。図６は、広告配信システムの処理フローを示す図である。
【００３２】
最初に、発端末１の信号送信部１３により、発端末１を現在使用しているユーザＡに対応するユーザ属性情報（ユーザ属性の有無：有、ユーザ属性１：男性、ユーザ属性２：３０代）が属性情報記憶部１１から読み出され、読み出されたユーザ属性情報を記載したＳＤＰ（Session Description Protocol）が生成され、呼接続情報格納部１２に格納されている自身の発アドレス（０３−１１１１−１１１１）と着端末５の着アドレス（０３−２２２２−２２２２）とを用いて上記ＳＤＰを有するＩＮＶＩＴＥ信号等の呼接続要求信号が呼接続制御装置３に送信される（Ｓ１）。
【００３３】
次いで、呼接続制御装置３の呼接続制御部３３により、発端末１から送信された呼接続要求信号が受信され、その呼接続要求信号からユーザ属性情報が抽出されて、広告制御部３４に渡される（Ｓ２）。
【００３４】
次いで、広告制御部３４により、呼接続制御部３３から渡されたユーザ属性情報（ユーザ属性の有無：有、ユーザ属性１：男性、ユーザ属性２：３０代）に対応するコンテンツＩＤがユーザ属性広告対応情報記憶部３２のユーザ属性−広告対応表から検索され、検索されたコンテンツＩＤ（広告２（車））に係る広告コンテンツが広告コンテンツ格納部３１から取得されて、発端末１に配信する広告コンテンツが決定される（Ｓ３）。このとき、ユーザ属性の有無は「有」であるため、課金部３５により、発端末１から送信された今回の呼接続要求信号に対しては、非課金と判定される。
【００３５】
次いで、広告制御部３４により、決定した広告コンテンツ（映像や音声等の当該広告コンテンツのメディア情報を含む）が発端末１に配信される（Ｓ４）。
【００３６】
次いで、Ｓ４の後、呼接続制御部３３により、ユーザ属性情報（ユーザ属性の有無：有、ユーザ属性１：男性、ユーザ属性２：３０代）が呼接続要求信号から削除され、削除後の呼接続要求信号が着端末５に送信される（Ｓ５）。なお、ユーザ属性の有無は、呼接続確立の成否が確定するまで、呼接続制御装置３で保持される。
【００３７】
次いで、着端末５により、Ｓ５で送信された呼接続要求信号に対する接続ＯＫの呼接続応答信号が呼接続制御装置３に送信され（Ｓ６）、呼接続制御装置３の呼接続制御部３３により、着端末５から送信された呼接続応答信号が発端末１に送信される（Ｓ７）。その後、発端末１と着端末５との間で呼接続が確立される。
【００３８】
本実施の形態によれば、発端末１が、ユーザ属性情報を含めた呼接続要求信号を送信し、呼接続制御装置３が、広告コンテンツを広告コンテンツ格納部３１に格納し、広告コンテンツのコンテンツＩＤとユーザ属性情報とを対応付けたユーザ属性−広告対応表をユーザ属性広告対応情報記憶部３２に記憶しておき、発端末１から送信された呼接続要求信号を受信し、その呼接続要求信号に含まれるユーザ属性情報に対応するコンテンツＩＤをユーザ属性−広告対応表から検索して、検索されたコンテンツＩＤに係る広告コンテンツを広告コンテンツ格納部３１から取得するので、呼接続制御装置３において発端末１のユーザ属性情報を保持することなく、発端末１のユーザ属性情報を反映した効果的な広告を発端末のユーザに配信することが可能となる。
【００３９】
本実施の形態によれば、発端末１を使用する複数のユーザにそれぞれ対応するユーザ属性情報をそれぞれ記憶しておき、現在使用中のユーザに対応するユーザ属性情報を含めた呼接続要求信号を送信するので、発端末１を複数ユーザが共有している場合であっても、現在使用しているユーザに対して適切な広告を配信することが可能となる。
【００４０】
本実施の形態によれば、呼接続制御装置３は、ユーザ属性情報を削除して呼接続要求信号を着端末に送信するので、発端末１のユーザ属性情報が着端末に送付されるのを防止することが可能となる。
【００４１】
なお、本実施の形態では、ＳＩＰを一例に説明したが、ユーザ属性情報を含めた呼接続要求信号を呼接続制御装置に送信可能であれば、どのようなプロトコルを用いてもよい。
【００４２】
最後に、発端末１と呼接続制御装置３とは、コンピュータで構成される。すなわち、属性情報記憶部１１と、呼接続情報格納部１２と、広告コンテンツ格納部３１と、ユーザ属性広告対応情報記憶部３２とは、メモリ等の記憶手段で実現される。また、信号送信部１３と、呼接続制御部３３と、広告制御部３４と、課金部３５とは、ＣＰＵ等の演算手段で実現され、プログラムで実行される。
【００４３】
また、発端末１と呼接続制御装置３とをプログラムとして光記憶装置や磁気記憶装置等の記録媒体に読出可能に記録し、この記録媒体をコンピュータに組み込んだり、若しくは記録媒体に記録されたプログラムを、任意の通信回線を介してコンピュータにダウンロードしたり、又は記録媒体からインストールし、該プログラムでコンピュータを動作させることにより、上述した各処理動作を発端末１や呼接続制御装置３として機能させることができるのは勿論である。
【符号の説明】
【００４４】
１…発端末
３…呼接続制御装置
５…着端末
７…通信ネットワーク
１１…属性情報記憶部（属性情報記憶手段）
１２…呼接続情報格納部
１３…信号送信部（信号送信手段）
３１…広告コンテンツ格納部（コンテンツ格納手段）
３２…ユーザ属性広告対応情報記憶部（対応情報記憶手段）
３３…呼接続制御部（呼接続手段）
３４…広告制御部（コンテンツ決定手段、コンテンツ配信手段）
３５…課金部（課金手段）
Ｓ１〜Ｓ８…ステップ
【図１】
2011239254.tif 000003
【図２】
2011239254.tif 000004
【図３】
2011239254.tif 000005
【図４】
2011239254.tif 000006
【図５】
2011239254.tif 000007
【図６】
2011239254.tif 000008